(57)【要約】【課題】天井埋込型機器の設計変更を不要とする。【解決手段】露出取付カバー１は有底円筒形に形成されたカバー本体２を備える。カバー本体２の内周面における軸対称な位置には、内側に突出する一対の被狭持部３が突設されている。ケース本体２１をカバー本体２の下面に当接させた状態で引き締めねじ３２を回転させると、引き入れ切欠３１ａから出た挟み片３３が下方に移動して被狭持部３の上面に当接し、ケース本体２１と挟み片３３とにより被狭持部３を挟持してケース２０を露出取付カバー１に固定することができる。故に、天井埋込型の熱線式自動スイッチＡに露出配設用の部品等を追加する必要がなく、熱線式自動スイッチＡの設計変更が不要となる。【選択図】        図１
2005243547.tif 000002
【特許請求の範囲】
【請求項１】
平板状のケース本体並びにケース本体の上面に取り付けられるボディからなるケースと、ケース本体の上面に固定され、天井に設けた埋込孔に挿入された状態でケース本体との間に天井板を狭持することによりケースを天井に埋込配設する取付具とを備え、取付具は、ケース本体を貫通する引き締めねじと引き締めねじに螺合した挟み片とを有し、引き締めねじの回転によって上下に移動させた挟み片で天井板を狭持する天井埋込型機器を天井に露出取り付けするためのものであって、下面が開口する有底筒状に形成され、下面開口から前記機器のケースが挿入されるカバー本体と、カバー本体の内部に設けられ、ケース本体と挟み片との間に狭持される被狭持部とを備えたことを特徴とする天井埋込型機器用の露出取付カバー。
【請求項２】
取付具の挟み片が被狭持部から脱落するのを防止する脱落防止手段がカバー本体に設けられたことを特徴とする請求項１記載の天井埋込型機器用の露出取付カバー。
【請求項３】
ケース本体に貫設された孔に嵌合する突起がカバー本体に設けられたことを特徴とする請求項１記載の天井埋込型機器用の露出取付カバー。
【請求項４】
ケース本体の周部に設けられた段部に係合する係合部がカバー本体に設けられたことを特徴とする請求項１記載の天井埋込型機器用の露出取付カバー。
【請求項５】
カバー本体並びに被狭持部が合成樹脂成型品で構成され、成型時にカバー本体の底面に形成される貫通孔を塞ぐ蓋を備えたことを特徴とする請求項１記載の天井埋込型機器用の露出取付カバー。
【請求項６】
ボディ上面に電線が結線される端子部が設けられるとともにボディ上面に着脱自在に取り付けられて端子部を保護する端子カバーを前記機器に備え、カバー本体の下面開口から底面までの深さ寸法を、端子カバーを含むケースの高さ寸法よりも大きくしたことを特徴とする請求項１記載の天井埋込型機器用の露出取付カバー。
【発明の詳細な説明】
【技術分野】
【０００１】
本発明は、天井に設けた埋込孔に埋込配設される天井埋込型の機器を天井に露出取り付けするための露出取付カバーに関するものである。
【背景技術】
【０００２】
従来、この種の天井埋込型機器として、人体から放射される熱線を検出することにより人の存否を判断し、負荷を自動的に入・切させるようにした熱線式自動スイッチが提供されている（特許文献１参照）。この熱線式自動スイッチは、円板状に形成されたケース本体とケース本体の上面に取り付けられるボディとでケースが構成され、熱線センサや負荷を入・切する回路、並びに電線を接続する端子部などが納装されたボディを埋込孔に埋め込む形でケース本体を埋込孔周辺の天井面に当接させて埋込配設され、天井裏に配設された電線が埋込孔から挿入されたボディの端子部に結線される。
【０００３】
ところで、上述のような天井埋込型機器に接続する電線が露出配線されている場合、従来では、天井に固定された露出配線用のボックス（特許文献２参照）にケースを固定していたが、ケースの高さ寸法よりも上記ボックスの深さ寸法が小さいと取り付けることができないという問題があった。
【特許文献１】特開平１０−２０９８４０号公報
【特許文献２】実開平７−２７２３４号公報
【発明の開示】
【発明が解決しようとする課題】
【０００４】
そこで従来、図９に示すように下面が開口する有底円筒形に形成され、天井埋込型機器である熱線式自動スイッチＡ’のケース５０の上部が下面開口から内部に挿入された状態で固定される露出取付カバー６０を露出配線用のボックスに取り付けることが行われていた。この露出取付カバー６０には、内周面の下面開口近傍より一対の取付ばね６１が突出させてあり、これらの取付ばね６１が係止離脱自在に係止する係止部５１が熱線式自動スイッチＡ’のケース５０の側面に設けられていた。すなわち、取付ばね６１は両端が下方に傾斜した略丁字形に形成され、図９及び図１０に示すようにケース５０を水平面内で回転させたときに長手方向を水平方向に一致させた突条からなる係止部５１に弾性的に係止するように構成されている。
【０００５】
しかしながら、上記従来の露出取付カバー６０では熱線式自動スイッチＡ’のケース５０に係止部５１を設けなければならず、熱線式自動スイッチＡ’（天井埋込型機器）の設計変更が必要になっていた。
【０００６】
本発明は上記事情に鑑みて為されたものであり、その目的は、天井埋込型機器の設計変更を不要とした天井埋込型機器用の露出取付カバーを提供することにある。
【課題を解決するための手段】
【０００７】
請求項１の発明は、上記目的を達成するために、平板状のケース本体並びにケース本体の上面に取り付けられるボディからなるケースと、ケース本体の上面に固定され、天井に設けた埋込孔に挿入された状態でケース本体との間に天井板を狭持することによりケースを天井に埋込配設する取付具とを備え、取付具は、ケース本体を貫通する引き締めねじと引き締めねじに螺合した挟み片とを有し、引き締めねじの回転によって上下に移動させた挟み片で天井板を狭持する天井埋込型機器を天井に露出取り付けするためのものであって、下面が開口する有底筒状に形成され、下面開口から前記機器のケースが挿入されるカバー本体と、カバー本体の内部に設けられ、ケース本体と挟み片との間に狭持される被狭持部とを備えたことを特徴とする。
【０００８】
この発明によれば、天井に埋込配設する際に使用する取付具を用いて天井埋込型機器を取り付けることができ、埋込型機器の設計変更が不要となる。
【０００９】
請求項２の発明は、請求項１の発明において、取付具の挟み片が被狭持部から脱落するのを防止する脱落防止手段がカバー本体に設けられたことを特徴とする。
【００１０】
この発明によれば、天井埋込型機器の脱落が防止できる。
【００１１】
請求項３の発明は、請求項１の発明において、ケース本体に貫設された孔に嵌合する突起がカバー本体に設けられたことを特徴とする。
【００１２】
この発明によれば、突起を孔に嵌合することでカバー本体をケース本体に容易に位置決めすることができる。
【００１３】
請求項４の発明は、請求項１の発明において、ケース本体の周部に設けられた段部に係合する係合部がカバー本体に設けられたことを特徴とする。
【００１４】
この発明によれば、段部に係合部を係合することでカバー本体をケース本体に容易に位置決めすることができる。
【００１５】
請求項５の発明は、請求項１の発明において、カバー本体並びに被狭持部が合成樹脂成型品で構成され、成型時にカバー本体の底面に形成される貫通孔を塞ぐ蓋を備えたことを特徴とする。
【００１６】
この発明によれば、貫通孔を通してカバー本体内に埃などの異物が侵入するのを防ぐことができる。
【００１７】
請求項６の発明は、請求項１の発明において、ボディ上面に電線が結線される端子部が設けられるとともにボディ上面に着脱自在に取り付けられて端子部を保護する端子カバーを前記機器に備え、カバー本体の下面開口から底面までの深さ寸法を、端子カバーを含むケースの高さ寸法よりも大きくしたことを特徴とする。
【００１８】
この発明によれば、端子カバーを取り付けた状態でもカバー本体内にケースを収納することができる。
【発明の効果】
【００１９】
本発明によれば、天井に埋込配設する際に使用する取付具を用いて天井埋込型機器を取り付けることができ、埋込型機器の設計変更が不要となるという効果がある。
【発明を実施するための最良の形態】
【００２０】
以下、天井埋込型機器として従来例で説明した熱線式自動スイッチを例示して本発明に係る露出取付カバーの実施形態について図面を参照して詳細に説明する。但し、天井埋込型機器は熱線式自動スイッチに限定されるものではなく、例えば、照度センサで周囲照度を検出し、周囲照度に応じて照明負荷を点灯、消灯するような機器や、リモコン送信機から送信されるワイヤレス信号を受信して負荷を入・切するようなリモコン受信機、あるいは熱や煙などを検出して火災を感知する火災感知器などについても、本発明に係る露出取付カバーを用いて露出配設が可能である。
【００２１】
ここで、本発明に係る露出取付カバーの実施形態を説明するために、天井埋込型機器である熱線式自動スイッチＡについて、図１及び図２を参照して簡単に説明する。この熱線式自動スイッチＡは従来周知であって、円板状に形成されたケース本体２１と、ケース本体２１の上面に取り付けられる箱形のボディ２２とでケース２０が構成される。このケース２０は、ケース２０に結合される一対の取付具３０を用いたり、配線器具用の埋込ボックスに螺合するボックスねじを用いたりして天井に固定される。取付具３０は、ケース本体２１の上面に固定される水平断面略コ字形の柱体３１を備え、柱体３１には上下方向の引き締めねじ３２が回動自在に保持されている。尚、引き締めねじ３２の頭部はケース本体２１に貫設された長孔状の透孔２３を通してケース本体２１の下面側に露出させてる。また、引き締めねじ３２には挟み片３３が螺合しており、引き締めねじ３２の回転によって挟み片３３を上下に移動させることができるようにしてある。柱体３１の上部側壁には引き入れ切欠３１ａが形成されており、引き締めねじ３２を回転させて挟み片３３を上方に移動させると、挟み片３３が最終的に引き入れ切欠３１ａに挿入されるようにしてある。
【００２２】
而して、取付具３０をケース本体２１に固定した状態で、挟み片３３を下方に移動させるように引き締めねじ３２を回転させると、挟み片３３が引き入れ切欠３１ａから出てケース本体２１の直径方向の外向きに突出し、挟み片３３とケース本体２１との距離を小さくするようになっている。したがって、挟み片３３を引き入れ切欠３１ａに挿入しておき、天井板に設けた埋込孔に取付具３０を挿入し、かつケース本体２１を天井面に当接させた状態で、引き締めねじ３２を回転させて挟み片３３を下方に引き下げると、ケース本体２１と挟み片３３とにより埋込孔の周部で天井板を挟持することになり、ケース２０を天井に固定することができるのである。一方、配線器具用のスイッチボックスのような埋込ボックスを天井に設置しているときには、ケース本体２１の周部に設けたボックス孔に挿通されるボックスねじを埋込ボックスに螺合させれば、天井にケース２０を固定することができる。
【００２３】
（実施形態１）
本実施形態の露出取付カバー１は、図１〜図３に示すように熱可塑性樹脂により有底円筒形に形成されたカバー本体２を備える。カバー本体２の内周面における軸対称な位置には、内側に突出する一対の被狭持部３が突設されている。この被狭持部３は平面視略矩形であって、下面がカバー本体２の開口端面と面一となり、内部が上方に開口した中空に形成されるとともに、補強用に複数の突条３ａがカバー本体２の上下方向に沿って形成されている。また、被狭持部３の下面には、後述するようにケース本体２１の透孔２３の大径部２３ａに嵌合する半円筒形の突起４が突設されている。さらに、カバー本体２の底面（上面）には熱線式自動スイッチＡに結線される電線Ｃを挿通する矩形の電線挿通孔５が中央に開口するとともに、後述する露出ボックスＢに取り付けるための取付ねじ６を挿通する複数のねじ挿通孔７が電線挿通孔５の周囲に貫設されている。尚、カバー本体２の底面における被狭持部３と対向する位置には、カバー本体２の樹脂成型時に被狭持部３を形成するためのキャビティによる貫通孔８が開口している。
【００２４】
次に、本実施形態の露出取付カバー１を用いて熱線式自動スイッチＡを露出配設する手順を説明する。
【００２５】
図１に示すように露出配線用の露出ボックスＢは扁平な有底円筒形に形成されて天井に固定されており、その周面に連結された電線管Ｅを通して電線Ｃが内部に引き込まれている。露出ボックスＢの内周面には取付ねじ６が螺合するねじ孔４１を設けた複数のボス部４０が突設されており、カバー本体２の底面に貫設された複数のねじ挿通孔７に挿通した取付ねじ６をボス部４０のねじ孔４１に螺合することで露出ボックスＢの下面（開口面）に露出取付カバー１が固定される。このとき、露出ボックスＢ内の電線Ｃはカバー本体２の底面に開口する電線挿通孔５を通してカバー本体２内に導入され、熱線式自動スイッチＡのボディ２２上面に露設されている端子部（図示せず）に結線される。
【００２６】
続いて、挟み片３３を引き入れ切欠３１ａに挿入した状態で一対の取付具３０並びにボディ２２を下面開口からカバー本体２内に挿入し、被狭持部３の下面に突設した突起４をケース本体２１の透孔２３の大径部２３ａに嵌合するようにしてケース本体２１をカバー本体２の下面に当接させる（図４参照）。そして、この状態で引き締めねじ３２を回転させると、引き入れ切欠３１ａから出た挟み片３３が下方に移動して被狭持部３の上面に当接するから、ケース本体２１と挟み片３３とにより被狭持部３を挟持することになり、ケース２０を露出取付カバー１に固定することができるのである（図２参照）。ここで、挟み片３３が被狭持部３の上面に当接するようにカバー本体２に対してケース２０を位置決めする必要があるが、本実施形態では被狭持部３の下面に突設した突起４をケース本体２１の透孔２３の大径部２３ａに嵌合させることで容易に位置決めを行うことができ、しかも、位置決め用の大径部２３ａは本来ケース本体２１に設けられているものであるから、設計変更も不要である。
【００２７】
このように本実施形態の露出取付カバー１では、熱線式自動スイッチＡが本来備えている天井固定用の取付具３０によりケース２０を取り付けて固定することが可能であるから、天井埋込型の熱線式自動スイッチＡに露出配設用の部品等を追加する必要がなく、熱線式自動スイッチＡの設計変更が不要となる。尚、カバー本体２の深さ寸法（高さ寸法）をケース２０の高さ寸法よりも十分に大きくしておき、図２に示すように電線Ｃを屈曲させた状態でケース２０の上方にできるスペースに収納すれば、結露等による水滴が電線Ｃを伝って熱線式自動スイッチＡの端子部にまで達するのを防ぐことができる。また、屈曲させた電線Ｃによって熱線式自動スイッチＡのケース２０に力がはたらいても突起４と大径部２３ａとの嵌合によりケース２０がカバー本体２に対して移動するのを防ぐことができる。
【００２８】
ここで、図２に示すように露出ボックスＢの径がカバー本体２の径よりも小さく、カバー本体２の底面に開口した貫通孔８が露出ボックスＢによって塞がれない場合、この貫通孔８を通して埃などの異物がカバー本体２内に侵入するのを防止するため、図５に示すように合成樹脂製の蓋９で貫通孔８を塞ぐことが望ましい。蓋９は貫通孔８とほぼ同形状であって周部には複数の圧入用リブ９ａが突設されており、貫通孔８内に圧入してカバー本体２に取り付けられる。尚、カバー本体２の底面における電線挿通孔５の周縁に蓋９を一体成型し、必要に応じてカバー本体２から蓋９を切り取るようにすれば、蓋９を別途用意するよりもコストダウンが図れるとともに蓋９の紛失も防止できる。
【００２９】
ところで、電線Ｃが配線された天井裏の高さ方向のスペースが少なく、熱線式自動スイッチＡのケース２０が天井裏に収納できない場合にも、図６に示すように本発明に係る露出取付カバー１を用いて熱線式自動スイッチＡを天井に露出配設することができる。この場合、カバー本体２は底面に貫設したねじ挿通孔７に挿通した固定ねじ（図示せず）により天井板Ｓに固定される。尚、電線Ｃを電線管によらずに配線する場合、結露等による水滴の侵入防止を目的としてケース２０のボディ２２上面に端子部を保護する端子カバー２５を取り付ける必要があるが、カバー本体２の深さ寸法を端子カバー２５が取り付けられたケース２０の高さ寸法よりも大きくしておけば端子カバー２５を取り付けたケース２０にも対応可能である。
【００３０】
（実施形態２）
本実施形態の露出取付カバー１を図７に示す。但し、基本的な構成は実施形態１と共通であるから、共通の構成要素には同一の符号を付して説明を省略する。
【００３１】
熱線式自動スイッチＡのケース本体２１の周部には、図８に示すように複数の段部２６が形成されており、本実施形態ではこれらの段部２６に係合する複数の係合部１０をカバー本体２に設けている。段部２６は、円板状のケース本体２１における弧の部分と、そこから外側に突出した部分との境目に形成されている。また、係合部１０はカバー本体２の下端面から下方へ突設された突起からなり、上記外側に突出した部分を両側から挟むように各々隣り合う段部２６に係合する。
【００３２】
而して、実施形態１における突起４と大径部２３ａとの嵌合による位置決めの代わりに、係合部１０と段部２６の係合によってカバー本体２にケース２０を位置決めすることができる。この場合もケース本体２１に本来設けられていた段部２６を利用するから設計変更が不要であり、また、屈曲させた電線Ｃによって熱線式自動スイッチＡのケース２０に力がはたらいたときにケース２０がカバー本体２に対して移動するのを防ぐことができるとともに、使用状態におけるカバー本体２の強度向上が図れるという利点がある。
【００３３】
ところで、係合部１０と段部２６の係合によってカバー本体２に対するケース２０の位置ずれはある程度防止できるのであるが、例えば、地震によって係合部１０と段部２６の係合が外れたり、あるいは引き締めねじ３２にゆるみが生じて挟み片３３が被狭持部３の上面から離れてしまった場合、挟み片３３が被狭持部３から脱落してケース２０がカバー本体２から外れて落下してしまうことも考えられる。そこで、図７に示すように被狭持部３の水平方向（図７（ｃ）における上下方向）における両端部から上方（図７（ｃ）における左方）へ立ち上がる立ち上げ片１１をそれぞれ突設し、挟み片３３が被狭持部３から脱落するのを防ぐことが望ましい。
【図面の簡単な説明】
【００３４】
【図１】本発明に係る露出取付カバーの実施形態１を示す斜視図である。
【図２】同上の使用状態における断面図である。
【図３】同上を示し、（ａ）は正面図、（ｂ）は同図（ａ）のＸ−Ｘ線断面矢視図、（ｃ）は同図（ａ）のＹ−Ｙ線断面矢視図、（ｄ）は背面図である。
【図４】同上の熱線式自動スイッチを取り付けた状態の下面図である。
【図５】同上の施工方法の説明図である。
【図６】同上を天井板に取り付けた場合の断面図である。
【図７】実施形態２を示し、（ａ）は正面図、（ｂ）は同図（ａ）のＸ−Ｘ線断面矢視図、（ｃ）は同図（ａ）のＹ−Ｙ線断面矢視図である。
【図８】同上の熱線式自動スイッチを取り付けた状態の下面図である。
【図９】従来の露出取付カバーと熱線式自動スイッチを示し、（ａ）は分解斜視図、（ｂ）は取付状態を示す斜視図である。
【図１０】同上の露出取付カバーと熱線式自動スイッチの取付手順を説明する説明図である。
【符号の説明】
【００３５】
１  露出取付カバー
２  カバー本体
３  被狭持部
Ａ  熱線式自動スイッチ（天井埋込型機器）
２０  ケース
３０  取付具
３２  引き締めねじ
３３  挟み片
【図１】
2005243547.tif 000003
【図２】
2005243547.tif 000004
【図３】
2005243547.tif 000005
【図４】
2005243547.tif 000006
【図５】
2005243547.tif 000007
【図６】
2005243547.tif 000008
【図７】
2005243547.tif 000009
【図８】
2005243547.tif 000010
【図９】
2005243547.tif 000011
【図１０】
2005243547.tif 000012